(57)【要約】      （修正有）【課題】携帯することができ、屋外で活性水素水を生成することのできる活性水素水生成装置を提供する。【解決手段】通気蓋２ａを備えたキャップ２を脱着可能に螺着したペットボトル１と、ペットボトル１の底壁１ａ上面に設けられ、陽極４ａと陰極４ｂを有する電極コア４と、ペットボトル１の底壁１ａ下面側に設けられた制御盤５と、制御盤５に隣接して設けた二次電池６と、ペットボトル１の筒壁１ｂ外面を覆う湾曲可能なシート状太陽電池３と、シート状太陽電池３と制御基板５とを接続する入力回路と、制御盤５と二次電池６とを接続する出入力回路と、制御盤５と電極コア４とを接続する出力回路とで構成されている。【選択図】図１
0003146459.tif 000002
【実用新案登録請求の範囲】
【請求項１】
屋外で活性水素水を生成することのできる携帯式の活性水素水生成装置であって、通気蓋（２ａ）を備えたキャップ（２）を脱着可能に螺着したペットボトル（１）と、前記ペットボトルの底壁（１ａ）上面に設けられ，陽極（４ａ）と陰極（４ｂ）を有する電極コア（４）と、前記ペットボトルの底壁下面側に設けられた制御盤（５）と、前記制御盤に隣接して設けられた二次電池（６）と、前記ペットボトル（１）の筒壁（１ｂ）外面を覆う湾曲可能なシート状太陽電池（３）と、前記シート状太陽電池と制御基板とを接続する入力回路（７）と、前記制御盤と二次電池とを接続する出入力回路（８）と、前記制御盤と電極コアとを接続する出力回路（９）と、から成る携帯式活性水素水生成装置。
【請求項２】
屋外で活性水素水を生成することのできる携帯式の活性水素水生成装置であって、気体通過液体非通過材料製通気蓋（２ａ）を備えたキャップ（２）を脱着可能に螺着したペットボトル（１）と、前記ペットボトルの底壁（１ａ）上面に設けられ，陽極（４ａ）と陰極（４ｂ）を有する電極コア（４）と、前記ペットボトルの底壁下面側に設けられた制御盤（５）と、前記制御盤に隣接して設けられた二次電池（６）と、前記ペットボトル（１）の筒壁（１ｂ）外面を覆う湾曲可能なシート状太陽電池（３）と、前記シート状太陽電池と制御基板とを接続する入力回路（７）と、前記制御盤と二次電池とを接続する出入力回路（８）と、前記制御盤と電極コアとを接続する出力回路（９）と、から成る携帯式活性水素水生成装置。
【考案の詳細な説明】
【技術分野】
【０００１】
本考案は、携帯式で、主として飲用水用として使用される活性水素水生成装置に関するものである。
【背景技術】
【０００２】
従来から、水道水などのいわゆる通常の水を電気分解して、健康促進に良いとされている活性水素水を生成する技術が存在する。この技術を利用した装置は、水道の蛇口近傍に設置されるものである。また、近年では、浴槽や水槽内に設置されるものも創案されている。
【考案の開示】
【考案が解決しようとする課題】
【０００３】
しかし、従来の活性水素水生成装置は水道の蛇口近傍や浴槽内などに設置するものであるため、それを携帯して、屋外で活性水素水を生成することは困難である。散歩やハイキング、あるいは屋外スポーツなどを楽しむ際、健康促進に良いとされる活性水素水を自由に生成して飲用することができれば、それら散歩等をさらなる健康促進に役立てることができ、きわめて有用である。
【０００４】
本考案はこうした点に鑑み創案されたもので、携帯することができ、屋外で容易に活性水素水を生成することのできる装置を提供することを課題とする。
【課題を解決するための手段】
【０００５】
用語の説明
「ペットボトル」とは、合成樹脂製で飲料用の蓋付き瓶である（広辞苑第６版）。
「湾曲可能なシート状太陽電池」とは、チタン薄膜の基板上に約１マイクロメートルのモリブデン電極を設け、その上に銅（Ｃｕ）、インジウム（Ｉ）、ガリウム（Ｇ）、セレン（Ｓ）からなるＣＩＧＳ薄膜、バッファー層、透明導電膜、反射防止膜を積層した構造であり（日刊工業新聞、平成２０年８月７日付）、市販されている。なお、太陽電池に電気を溜めることはできない（「電気・電子のしくみ」、株式会社ナツメ社、平成１１年７月３０日発行）。
【０００６】
図１および図２を参照して説明する。請求項１に記載の考案は、屋外で容易に活性水素水を生成することのできる携帯式の活性水素水生成装置である。この装置は、通気蓋２ａを備えたキャップ２を脱着可能に螺着したペットボトル１と、前記ペットボトル１の底壁１ａ上面に設けられ、陽極４ａと陰極４ｂを有する電極コア４と、前記ペットボトル１の底壁１ａ下面側に設けられた制御盤５と、前記制御盤５に隣接して設けた二次電池６と、前記ペットボトル１の筒壁１ｂ外面を覆う湾曲可能なシート状太陽電池３と、を備える。
【０００７】
また、前記シート状太陽電池３と制御基板５とを接続する入力回路７と、前記制御盤５と二次電池６とを接続する出入力回路８と、前記制御盤５と電極コア４とを接続する出力回路９と、を備える。
【０００８】
電極コア４は、交互に平行して配置した複数の陽極４ａと陰極４ｂの電極棒によって構成される。さらに、制御盤５は、太陽電池３からの入力を所定電圧に制御しながら二次電池６と電極コア４に出力し、また、二次電池６からの入力を電極コア４へ出力する。
【０００９】
請求項２に記載の考案は、屋外で容易に活性水素水を生成することのできる携帯式の活性水素水生成装置である。この装置は、気体通過液体非通過材料製通過蓋２ａを備えたキャップ２を脱着可能に螺着したペットボトル１と、前記ペットボトル１の底壁１ａ上面に設けられ、陽極４ａと陰極４ｂを有する電極コア４と、前記ペットボトル１の底壁１ａ下面側に設けられた制御盤５と、前記制御盤５に隣接して設けた二次電池６と、前記ペットボトル１の筒壁１ｂ外面を覆う湾曲可能なシート状太陽電池３と、を備える。気体通過・液体非通過な材料としては、水を通さず空気のみ通す繊維があげられる。
【００１０】
また、前記シート状太陽電池３と制御基板５とを接続する入力回路７と、前記制御盤５と二次電池６とを接続する出入力回路８と、前記制御盤５と電極コア４とを接続する出力回路９と、を備える。
【考案の効果】
【００１１】
請求項１に記載の携帯式水素水生成装置は、屋外において、ペットボトル１に収納した水Ｗを電気分解して活性水素を発生させ、これにより活性水素水を生成することができる。
【００１２】
すなわち、太陽エネルギー（太陽光）をシート状太陽電池３で吸収して電力に変換し、その電力を入力回路７，制御盤５および出入力回路８を介してペットボトル１の底壁１ａ上（水中）に設けられた電極コア４に供給する。これにより、電極コア４の陽極４ａと陰極４ｂとの間に電流が流れ、ペットボトル１に収納されている水Ｗから活性水素水が生成される。
【００１３】
また、シート状太陽電池３で得られた電力は、入力回路７、制御盤５および出入力回路８を介して二次電池６に供給され、蓄電される。二次電池６に蓄電された電力は、シート状太陽電池３の電力が不足する場合などに、出入力回路８，制御盤５および出力回路９を介して電極コア４に供給されて使用される。こうした電力の供給は制御盤５によって自動的に制御される。
【００１４】
なお、ペットボトル１で発生した蒸発気体のうち、余剰なものはキャップ２の通気蓋２ａを開けることにより、大気中に逃がすことができる。
【００１５】
請求項２の考案は、通気蓋２ａを開けなくても、ペットボトル１内で蒸発により生じた気体のうち余剰なものを、気体通過・液体非通過材料製通気蓋２ａを通過させて、大気中に逃がすことが出来る。
【００１６】
本考案に係る携帯式活性水素水生成装置は、屋外で太陽エネルギーを使用して活性水素水を生成することができるので、健康促進に良いとされている活性水素水を屋外において自由に飲用することができる。
【考案を実施するための最良の形態】
【００１７】
本考案に係る携帯式活性水素水生成装置の実施形態を、図１および図２に示す。この装置は、屋外で活性水素水を生成するものであり、ペットボトル１、電極コア４、制御盤５、二次電池６およびシート状太陽電池３を備える。
【００１８】
ペットボトル１は、ボトル本体に通気蓋２ａを備えたキャップ２を脱着可能に螺着したものである。通気蓋２ａはヒンジを有する回動式であり、指で操作して開閉することができる。なお、この通気蓋２ａはヒンジ式に限定されず、例えば着脱式とすることができる。
【００１９】
電極コア４は、ペットボトル１の底壁１ａ上面に固定している。この電極コア４は、複数の棒状の陽極４ａと陰極４ｂを交互に並列設して構成している。制御盤５は、ペットボトル１の底壁１ａ下面に固定している。
【００２０】
二次電池６は、制御盤５の下面に隣接して固定している。なお、制御盤５と二次電池６の設置位置は、これに限定されず、両者の位置が逆転しても良いし、また、両者が共にペットボトル１の底壁１ａの下面を略二分する状態で固定されていても良い。
【００２１】
シート状太陽電池３は、ペットボトル筒壁１ｂの外面全周を覆うもので、フレキシブル性に富み湾曲自在である。なお、シート状太陽電池３と制御基板５との間には、両者を電気的に接続する入力回路７を設けている。また、制御盤５と二次電池６との間には、両者を電気的に接続する出入力回路８を設け、さらに、制御盤５と電極コア４との間には、両者を電気的に接続する出力回路９を設けている。
【００２２】
本実施形態に係る携帯式活性水素水生成装置は、次のようにして使用することができる。まず、ペットボトル１に水道水などの水Ｗを収納する。次に、このペットボトル１を屋外に携帯する。これにより、シート状太陽電池３が太陽エネルギーを吸収し、それを電力に変換した後、入力回路７、制御盤５および出力回路９を通して電極コア４に供給する。これにより、電極コア４では、電流が陽極４ａと陰極４ｂとの間を流れて活性水素を発生させ、ペットボトル１の水Ｗから活性水素水を生成する。
【００２３】
また、シート状太陽電池３で得られた電力は、入力回路７、制御盤５および出入力回路８を介して二次電池６に供給され蓄えられる。この二次電池６に蓄えられた電力は、シート状太陽電池３の電力が不足する場合などに、制御盤５による自動的な制御によって電極コア４に供給される。
【００２４】
なお、ペットボトル１内で発生した蒸発気体のうち、余剰なものはキャップ２の通気蓋２ａを開けることにより、大気中に逃がすことができる。
【００２５】
なお、通気蓋２ａを水を通さず空気のみ通す繊維製とすれば、通気蓋２ａを開けなくても、ペットボトル１内で発生した余剰な気体を大気中に逃がすことが出来る。
【００２６】
本実施形態に係る携帯式活性水素水生成装置は、屋外で太陽エネルギーを使用して活性水素水を生成することができるので、健康促進に良いとされている活性水素水を、散歩やスポーツなど、屋外での活動時に飲用することができる。
【図面の簡単な説明】
【００２７】
【図１】本考案に係る活性水素水生成装置の実施形態を示す一部切欠正面図である。
【図２】図１に示す生成装置の電気的構造を示す構成図である。
【符号の説明】
【００２８】
１        ペットボトル
１ａ      底壁
１ｂ      筒壁
２        キャップ
２ａ      通気蓋
３        太陽電池
４        電極コア
４ａ      陽極
４ｂ      陰極
５        制御盤
６        二次電池
７        入力回路
８        出入力回路
９        出力回路
１０      リード線
Ｗ        水
【図１】
0003146459.tif 000003
【図２】
0003146459.tif 000004